(57)【要約】【課題】本発明は、購入者が店頭で選んだデジタルコンテンツを、その場でコピーして、持ち帰ることができる装置を提供する。【解決手段】デジタルコンテンツの販売・供給において、購入者がデジタルコンテンツを選択する手段と、多数のデジタルコンテンツを記録する手段と、デジタルコンテンツを購入者により指定されたメディアに記録する手段と、購入金額の入金処理をする手段と、デジタルコンテンツの内容を入れ替える手段と、他のコンピュータとの通信手段と、これらを制御するコンピュータからなるデジタルコンテンツの販売システムと、前記販売システムと通信手段を用いて接続された、コンピュータにおいて、複数の販売システムから販売の記録を収集し、販売の集計を行うデジタルコンテンツの販売管理装置によりデジタルコンテンツの販売を行う。【選択図】図１
2005071060.tif 000002
【特許請求の範囲】
【請求項１】
購入者の要求に応じて多数のデジタルコンテンツの中から抽出したコンテンツを供給・販売する、販売用コンピュータを有するデジタルコンテンツの販売システムであって、
販売すべきデジタルコンテンツを記憶媒体に記憶して保持する記憶手段と、
購入者側の要求により指定されたアイテムに基づき前記記憶媒体のデジタルコンテンツの中から検索・表示する検索手段と、
検索されたデジタルコンテンツから購入者により指定されたデジタルコンテンツの販売価格を算出し、購入者側に提示する価格提示手段と、
購入者側の支払を確認して入金処理をするとともに、指定された前記デジタルコンテンツを購入者により指定されたデジタルメディアに記録する記録手段とを具備し、
前記販売用コンピュータは、購入者の検索の記録、入金処理の記録を保持する機能を有し、通信手段を用いて他のコンピュータ又はサーバとネットワーク接続して、情報の授受を行う機能を有することを特徴とするデジタルコンテンツの販売システム。
【請求項２】
前記販売用コンピュータとローカルエリアネットワークにより接続されたコンピュータであって、前記デジタルコンテンツの記憶媒体と情報を共有するように構成し、前記検索手段と同様な検索を行う機能を持ち、購入者によりデジタルコンテンツから検索・表示することができ、かつ前記販売用コンピュータに対して、購入者により指定されたデジタルコンテンツを、デジタルメディアへ記録する処理を予約指示する機能を有するコンテンツ検索装置を含む請求項１に記載のデジタルコンテンツの販売システム。
【請求項３】
記録するデジタルメディアに、予めコピーガード処理を実施することを指示するデータを記録し、本販売システムがこのデジタルメディアに記録する際に、データを読み取り、正規な情報であることを確認し、コピーガード処理を指示するデータを読み取り、指示されたコピーガードの方式により、購入者が指定したデジタルコンテンツの内容を、購入者が指定したデジタルメディアに記録することを特徴とする請求項１に記載のデジタルコンテンツの販売システム。
【請求項４】
請求項１に記載の販売システムであって、デジタルコンテンツの供給手段を有し、販売用コンピュータの制御により、前記デジタルコンテンツの記憶媒体の内容をデジタルコンテンツの供給手段の内容に更新することを特徴とする請求項１に記載のデジタルコンテンツの販売システム。
【請求項５】
前記販売用コンピュータと通信手段を用いて接続された管理用サーバにおいて、
複数の販売用コンピュータから販売の記録を収集し、販売の集計を行うデジタルコンテンツの販売管理装置を含む請求項１に記載のデジタルコンテンツの販売システム。
【請求項６】
前記管理用サーバにデータとしてデジタルコンテンツの内容を記憶させ、販売用コンピュータの制御により、通信回線と通信手段を用いて前記デジタル記憶媒体の内容を、管理用サーバで記憶している内容に更新することを特徴とする請求項１に記載のデジタルコンテンツの販売システム。
【請求項７】
前記入金処理において、現金以外にプリペイドカード、クレジットカード、デビッドカード、ポイントカード、２次元バーコードを含むバーコードのうちの、いずれかで決済可能な請求項１に記載のデジタルコンテンツの販売システム。
【請求項８】
記録処理終了後に、販売用コンピュータは、記録したデジタルメディアからデータの一部を読み込み、デジタルコンテンツのタイトルと内容の一部を表示装置に表示する機能を有する請求項１に記載のデジタルコンテンツの販売システム。
【請求項９】
購入者の要求に応じて多数のデジタルコンテンツの中から抽出したコンテンツを供給・販売する販売用コンピュータを有するデジタルコンテンツの販売方法であって、
販売すべきデジタルコンテンツを記憶媒体に記憶し保持する記憶するステップと、
購入者側の要求により指定されたアイテムに基づき前記記憶媒体のデジタルコンテンツの中から検索・表示する検索するステップと、
検索されたデジタルコンテンツから購入者により指定されたデジタルコンテンツの販売価格を算出し、購入者側に提示する価格提示するステップと、
購入者側の支払を確認して入金処理をするとともに、指定された前記デジタルコンテンツを購入者により指定されたデジタルメディアに記録する記録するステップとを具備し、
前記販売用コンピュータは、購入者の検索の記録、入金処理の記録を保持する機能を有し、かつ通信手段を用いて他のコンピュータ又はサーバとネットワーク接続して、情報の授受を行う機能を有することを特徴とするデジタルコンテンツの販売方法。
【請求項１０】
請求項３に記載の販売システムと、請求項２に記載のコンテンツ検索装置と、請求項５に記載の販売管理装置とで構成されていることを特徴とするデジタルコンテンツの販売方法。
【発明の詳細な説明】
【技術分野】
【０００１】
本発明は、デジタルコンテンツの販売に関し、より詳細には、デジタルコンテンツを購入者が指定する記録メディアに書き込み、購入することができる販売システムに関する。
【背景技術】
【０００２】
デジタルコンテンツの販売は、従来の店頭販売だけでなく、インターネットでの販売も行われているが、購入者が有償のコンテンツに対する支払いをするときに、個人のクレジットカードの番号をはじめ、個人情報などをインターネット上に送信することに対する不安がある。また、コンテンツの内容が映像のような場合には、そのダウンロード時間が長くなるので敬遠される。
特許文献１のような、新聞、雑誌、本などの文字や画像情報などの情報伝達手段としてメモリカードを使うことも提案されているが、コンテンツにより最適なメディアがあるので、全てをメモリカードにすることは困難である。
映像のコンテンツを楽しむ方法としては、いわゆるレンタルビデオ店から借りる方法が普及しているが、個人情報を開示する必要があることや、借りたメディアを返却する手間がかかり不便さが残る。
【０００３】
【特許文献１】特開２００３−１４１４５４号
【発明の開示】
【発明が解決しようとする課題】
【０００４】
本発明は、購入者が店頭で選んだデジタルコンテンツを、その場でコピーして持ち帰ることができる装置を利用することにより、
（１）個人情報の送信や開示の必要性を無くすこと、
（２）インターネットでの購入時の不安を解消すること、
（３）レンタルビデオ店を利用する場合の返却の手間を無くすこと、
（４）販売店では大量に売れるコンテンツが在庫不足を無くすこと、
（５）コンテンツの制作会社においては売れないときに返品が増えることを無くすこと、
（６）販売したメディアから他のメディアへのデジタルコピーを防止して、著作権の保護ができることが課題である。
【課題を解決するための手段】
【０００５】
購入者の要求に応じて多数のデジタルコンテンツの中から抽出したコンテンツを供給・販売する、販売用コンピュータを有するデジタルコンテンツの販売システムであって、販売すべきデジタルコンテンツを記憶媒体に記憶し保持する記憶手段と、購入者側の要求により指定された、アイテムに基づき前記記憶媒体のデジタルコンテンツの中から検索・表示する検索手段と、検索されたデジタルコンテンツから、購入者により指定されたデジタルコンテンツの販売価格を算出し、購入者側に提示する価格提示手段と、購入者側の支払を確認して、入金処理をするとともに、指定された前記デジタルコンテンツを、購入者により指定されたデジタルメディアに記録する記録手段とを具備し、前記販売用コンピュータは、購入者の検索の記録、入金処理の記録を保持する機能を有し、かつ通信手段を用いて、他のコンピュータ又はサーバとネットワーク接続して、情報の授受を行う機能を有する販売システムを使ったデジタルコンテンツの販売方法により、販売するメディアをその場で作成するので、流通過程での輸送、在庫、返品が不要となる。
【０００６】
前記販売用コンピュータとローカルエリアネットワークにより接続されたコンピュータであって、前記デジタルコンテンツの記憶媒体と情報を共有するように構成し、前記検索手段と同様な検索を行う機能を持ち、購入者によりデジタルコンテンツから検索・表示することができ、かつ前記販売用コンピュータに対して、購入者により指定されたデジタルコンテンツを、デジタルメディアへ記録する処理を予約指示する機能を有するコンテンツ検索手段を使うことで、購入者は自分の欲しい作品・商品を簡単に見つけることができる。
【０００７】
記録するデジタルメディアに、コピーガード処理を実施することを指示する、記録指示データを予め記録しておき、本販売システムがデジタルメディアに記録する際に、前記記録支持データの指示情報を読み取り、正規な情報であることを確認した後に、指示されたコピーガードの方式により、購入者が指定したデジタルコンテンツの内容を、購入者が指定したデジタルメディアに記録することで、販売したメディアから他のメディアへのデジタルコピーを防止して、著作権の保護ができるようにする。
【０００８】
前記販売用コンピュータと通信手段を用いて接続された、管理用サーバにおいて、複数の販売用コンピュータから販売の記録を収集し、販売の集計を行うことで、販売状況がタイムリーに把握できる。
【発明の効果】
【０００９】
デジタルコンテンツの購入者は、この販売システムで多数のコンテンツの中から希望するコンテンツを選択し、コピーガードされたコンテンツが記録されたメディアをその場で作成し、購入することで、インターネットを使うときの支払方法についての不安が無くなり、またインターネットからのダウンロード時間よりも早くコンテンツを入手することが可能となる。
【００１０】
販売店にとっての効果は、在庫のスペースの縮小と大量に売れるときの在庫不足が無くなる。
コンテンツの制作会社にとっての効果は、売れないときの返品が無くなること、各販売機からの売上情報により正確でタイムリーな販売情報を得ることができる。
製造・販売のリスクが少ないので、従来は制作・出版ができなかったコンテンツでも、この機械を使うことで、流通ルートに乗せることができ、より多彩なコンテンツが流通するようになる。
【発明を実施するための最良の形態】
【００１１】
本発明は図１に示すように、多数のデジタルコンテンツを記憶する手段（１０２）と、購入者がデジタルコンテンツを選択する表示・操作手段（１０５）と、デジタルコンテンツを購入者により指定されたメディアに記録する記録手段（１０３）と、購入金額の入金処理をする入金手段（１０４）と、前記記憶されたデジタルコンテンツの内容を更新する供給手段（１０７）と、他のコンピュータ、サーバと情報の授受を行う通信手段（１０６）と、これらを制御する販売用コンピュータ（１０１）からなるデジタルコンテンツの販売システム、及び前記販売システムと通信手段（２０２）を用いて接続された、管理用サーバ（２０１）において、複数の販売システムから販売の記録を収集し、販売の集計を行うデジタルコンテンツの販売管理装置（２００）と、前記販売システムのコンピュータとローカルエリアネットワーク（５０１）によりネットワーク接続され、販売システムのデジタルコンテンツの記憶手段（１０２）を共有するように構成したコンピュータを用いて、デジタルコンテンツの内容を検索、選択、試写することが可能で、かつデジタルメディアに記録する販売システムに対して、購入者が選択したデジタルコンテンツの記録処理作業を予約することが可能なコンテンツ検索装置（３０１）により構成される。
【００１２】
本システムが、扱うコンテンツとしては、コンピュータのオペレーティングシステム（ＯＳ）、アプリケーションソフトウェア、及びこれらソフトのアップグレード版、パソコン（ＰＣ）のゲームソフト、ネットワークゲーム等のゲームソフト、デジタルブック、映画、音楽、映像、有料インターネット上のアクセス権、プリペイドカード入金情報などのデジタル化された情報である。
【００１３】
メディアの種類としては、ＣＤ、ＤＶＤ、ＭＤ，各種メモリカード、ＦＤ、外付メモリ等の記録可能なデジタルメディアと、赤外線インタフェースを持つ機器も対象とする。
実施例１では、コンテンツとして映画を選択し、メディアとして、ＣＤを選択した時の例を示す。
【実施例１】
【００１４】
購入者は、販売システム（１００）または検索装置（３０１）のＬＣＤ表示機とタッチパネルで構成された表示・操作手段を使い、希望するタイトルを検索することができる。検索方法については、説明を省略する。
タイトルを選択して、映画のサンプルを見て購入の可否を決定する。
コピーするＣＤは専用のＣＤであり、販売店から入手する。
【００１５】
図２で示すように、本装置は、ＣＤをセットし（ステップ５０１）、その情報を読み取り（ステップ５０２）、セットされたＣＤが、専用のＣＤであるかをチェックして（ステップ５０３）、不正なＣＤであれば、動作を止め（ステップ５２４）、必要に応じて、警告音を出す。
正常なＣＤがセットされている場合には、そのコンテンツの販売価格を表示して、支払方法の選択画面を表示する（ステップ５０４）。
【００１６】
現金、プリペイドカード、クレジットカード、デビッドカード、ポイントカード、２次元バーコードを含むバーコードから選択し
（Ａ）現金の場合には、図３で示すように、コインまたは札のカウント装置からの信号で入金を確認する（ステップ５０７）。
（Ｂ）プリペイドカードの場合には、図４で示すように、残高を確認して（ステップ５０８）、購入金額の引き落とし処理をおこなう（ステップ５０９）。
（Ｃ）クレジットカード場合には、図５のように、タッチパネル上に、カード番号、暗証番号の入力画面を表示して、購入者に番号を入力してもらうか、またはカードリーダにより番号をよみとる（ステップ５１０）。
通信手段により各認証機関に接続し支払可能かを確認し（ステップ５１１）、支払可能なときには（ステップ５１２）、決済処理を行う（ステップ５１３）。
【００１７】
（Ｄ）デビッドカードの場合には図６のように、タッチパネル上に、カード番号、暗証番号の入力画面を表示して、購入者に番号を入力してもらうか、またはカードリーダにより番号をよみとる（ステップ５１４）。
通信手段により各認証機関に接続して支払可能かを確認し（ステップ５１５）支払可能なときには（ステップ５１６）、決済処理を行う（ステップ５１７）。
支払可能な場合には続けて、図７で示すように、購入者が指定したコンテンツをコピーガードされた形式でＣＤに記録処理を行う（ステップ５１８）。
【００１８】
コピー終了後に記録したコンテンツから情報を読み取り、正常に記録されていることの確認を行い（ステップ５１９）、記録されたＣＤからそのタイトル、または一部をディスプレイに表示し（ステップ５２０）、購入者が意図したもかを問い合せ（ステップ５２１）、同じであれば購入者がその場で確認し（ステップ５２２）、ゲートを開く（ステップ５０９）。
【００１９】
本装置では、購入されたコンテンツの情報の履歴を記録しておき、販売管理装置からの求めに応じて、販売システムから購入されたコンテンツの情報を送信する。
販売管理装置では、複数の販売システムからの情報を集計し、週単位、月単位、年単位の販売実績表を作成し、コンテンツの単位の販売集計を元に、各コンテンツの著作権使用料を算出する。
【実施例２】
【００２０】
実施例２では、検索装置を含めた販売方法である。
購入者は、販売システムとＬＡＮなどでネットワーク接続された検索装置を使い、購入するコンテンツを決定し、記録メディアを指定する。購入者が購入の意思を示すボタンを押すことで、そのコンテンツ販売システムの記録待ちのキューに登録し、購入者に対して登録番号の表示、または登録番号が記載されたチケットを発行し、記録メディアがＣＤ、ＤＶＤの場合には、店頭での購入が必要であることを表示する。
購入者は、ＣＤ、ＤＶＤに記録するときには、店頭でメディアを購入して、販売システムの順番を待つ。
【００２１】
順番がくると、販売システムにメディアをセットして、「予約」のキーを押し、登録番号を入力する。
予約キーが押されると、記録メディアがセットされていることを確認してから、予約登録時に登録したコンテンツ内容、記録メディアの内容に従い、販売システムはコピー処理を行う。
【実施例３】
【００２２】
実施例３では、デジタルコンテンツの入れ替えの方法を示す。
販売システムに記録・保持されているデジタルコンテンツを入れ替える方法として、
（１）デジタルコンテンツの入れ替え装置にリムーバブルディスクを用いて、新たに追加するコンテンツをこのリムーバブルディスクに記録し、販売システムに接続し、その内容をストレージ装置に複写する。この時、不用となったコンテンツは消去する。
この処理をプログラムとしてリムーバブルディスクに記録しておき、販売システムに接続後に、このプログラムを作動させて一連の処理を行うこともできる。
（２）販売管理装置または、別装置から通信回線を利用して、コンテンツを入れ替える方法。
上記の方法は、コンテンツのサイズ、入れ替えるコンテンツの量により適時選択することができる。
【実施例４】
【００２３】
実施例４では、販売管理装置と販売システムとを通信手段を用いて情報の授受を行う。
通信手段としては、従来の電話回線とモデム、携帯電話のパケット通信、インターネット経由があり、販売システムの設置場所・環境により適切な通信手段を用いる。
販売管理装置から、販売システムにアクセスして各コンテンツの販売情報、購入者の検索ルート情報、ＬＡＮで接続された検索装置を含めて各装置、機器の状態を収集する。
販売管理装置では、各販売システムからの販売情報から、コンテンツ別、制作会社別、ジャンル別、アーティスト別の集計を行い、日単位、週単位、月単位の集計表を作成し、契約している、制作会社、コンテンツ供給会社にｅ−ｍａｉｌなどで送付する。
【００２４】
販売計画情報として、購入者の検索ルートを分析して、多くの購入者が通過するルートを見つけ出しその結果を管理者に対して、ｅ−ｍａｉｌなどの通信手段で送付する。
販売管理者は、多くの購入者が通過するルートにキャンペーン情報を効果的に入れることができる。
【産業上の利用可能性】
【００２５】
本発明は、デジタルコンテンツの供給者にとっては、コピー版が氾濫することを防止することで著作権を守ることができ、購入者にとっては、余分なパッケージと流通コストが無くなることで、より安価にコンテンツを購入することができ、デジタル記録された全てのコンテンツの流通に寄与できる。
【図面の簡単な説明】
【００２６】
【図１】本装置の構成図を示す。
【図２】コンテンツに記録するときの要部のフローチャートである。
【図３】支払が現金の場合のフローチャートである。
【図４】支払がプリペイドカードのフローチャートである。
【図５】支払がクレジットカードのフローチャートである。
【図６】支払がデビッドカードのフローチャートである。
【図７】記録処理と記録結果の確認のフローチャートである。
【符号の説明】
【００２７】
１００  販売システム
１０１  販売システムのコンピュータ
１０２  デジタルコンテンツを記録・保持する記憶装置
１０３  デジタルメディアを記録する装置
１０４  入金を確認する装置
１０５  購入者が処理を支持する操作装置ＬＣＤ表示装置とタッチパネルで構成される
１０６  通信手段
１０７  デジタルコンテンツを供給する装置
２００  販売管理装置
２０１  販売管理用サーバ
２０２  通信手段
２０３  販売管理用のアプリケーション
３０１  コンテンツ検索装置
４０１  通信網
４１０  認証機関
５０１  販売システムが設置されている場所のローカルエリアネットワーク（ＬＡＮ）
【図１】
2005071060.tif 000003
【図２】
2005071060.tif 000004
【図３】
2005071060.tif 000005
【図４】
2005071060.tif 000006
【図５】
2005071060.tif 000007
【図６】
2005071060.tif 000008
【図７】
2005071060.tif 000009